(57)【要約】【課題】バッテリ劣化状態をユーザが容易に且つ直感的に理解できる態様で表示することができる表示装置、表示方法、およびプログラムを提供すること。【解決手段】車両の走行用の電力を蓄えるバッテリの利用状況に関する情報を取得する取得部と、画像を表示する表示部と、前記取得部の取得結果に基づいて、前記バッテリの状態を擬人化キャラクタで表した画像を前記表示部に表示させる表示制御部と、を備える、表示装置。【選択図】図１
2020191719.tif 000002
【特許請求の範囲】
【請求項１】
車両の走行用の電力を蓄えるバッテリの利用状況に関する情報を取得する取得部と、
画像を表示する表示部と、
前記取得部の取得結果に基づいて、前記バッテリの状態を擬人化キャラクタで表した画像を前記表示部に表示させる表示制御部と、
を備える、表示装置。
【請求項２】
前記表示制御部は、前記バッテリの劣化度合を、前記擬人化キャラクタの年代を用いて表現した画像を前記表示部に表示させる、
請求項１に記載の表示装置。
【請求項３】
前記表示制御部は、前記バッテリの充電率を、前記擬人化キャラクタの感情を用いて表現した画像を前記表示部に表示させる、
請求項１または２の表示装置。
【請求項４】
前記表示制御部は、
前記バッテリの充電率が所定値以上である場合には、満足げな前記擬人化キャラクタの画像を前記表示部に表示させ、
前記バッテリの充電率が前記所定値未満である場合には、不満げな前記擬人化キャラクタの画像を前記表示部に表示させる、
請求項１から３のうちいずれか１項に記載の表示装置。
【請求項５】
前記表示制御部は、前記バッテリの使用頻度を、表現する擬人化キャラクタの感情を用いて表現するものであって、
前記使用頻度が好適である場合、幸福そうな様子の前記擬人化キャラクタの画像を前記表示部に表示させ、
前記使用頻度が過多である場合、疲労した様子の前記擬人化キャラクタの画像を前記表示部に表示させ、
前記使用頻度が過少である場合、寂しげな様子の前記擬人化キャラクタの画像を前記表示部に表示させる、
請求項１から４のうちいずれか１項に記載の表示装置。
【請求項６】
前記表示制御部は、前記バッテリの劣化状態の進み具合を、表現する擬人化キャラクタの感情を用いて表現するものであって、
前記バッテリの劣化が促進されていると判定する場合、怒りの感情を表している前記擬人化キャラクタの画像を前記表示部に表示させ、
前記バッテリの劣化が抑制されていると判定する場合、喜びの感情を表している前記擬人化キャラクタの画像を前記表示部に表示させる、
請求項１から５のうちいずれか１項に記載の表示装置。
【請求項７】
コンピュータが、
車両の走行用の電力を蓄えるバッテリの利用状況に関する情報を取得し、
取得結果に基づいて、前記バッテリの状態を擬人化キャラクタで表した画像を表示する表示部に表示する、
表示方法。
【請求項８】
コンピュータに、
車両の走行用の電力を蓄えるバッテリの利用状況に関する情報を取得させ、
取得結果に基づいて、前記バッテリの状態を擬人化キャラクタで表した画像を表示する表示部に表示させる、
プログラム。
【発明の詳細な説明】
【技術分野】
【０００１】
本発明は、表示装置、表示方法、およびプログラムに関する。
【背景技術】
【０００２】
従来、バッテリ残量や電池の劣化状態を表示する技術が開示されている（例えば、特許文献１および特許文献２）。
【先行技術文献】
【特許文献】
【０００３】
【特許文献１】特開２０００−３０７６８９号公報
【特許文献２】特開２００４−１７０２３１号公報
【発明の概要】
【発明が解決しようとする課題】
【０００４】
しかしながら、従来の技術では、バッテリ劣化状態をユーザが容易に且つ直感的に理解できない可能性があった。
【０００５】
本発明は、このような事情を考慮してなされたものであり、バッテリ劣化状態をユーザが容易に且つ直感的に理解できる態様で表示することができる表示装置、表示方法、およびプログラムを提供することを目的の一つとする。
【課題を解決するための手段】
【０００６】
この発明に係る表示装置、表示方法、およびプログラムは、以下の構成を採用した。
（１）：この発明の一態様に係る表示装置は、車両の走行用の電力を蓄えるバッテリの利用状況に関する情報を取得する取得部と、画像を表示する表示部と、前記取得部の取得結果に基づいて、前記バッテリの状態を擬人化キャラクタで表した画像を前記表示部に表示させる表示制御部と、を備える、表示装置である。
【０００７】
（２）：上記（１）の態様において、前記表示制御部は、前記バッテリの劣化度合を、前記擬人化キャラクタの年代を用いて表現した画像を前記表示部に表示させるものである。
【０００８】
（３）：上記（１）または（２）の態様において、前記表示制御部は、前記バッテリの充電率を、前記擬人化キャラクタの感情を用いて表現した画像を前記表示部に表示させるものである。
【０００９】
（４）：上記（１）から（３）のいずれかの態様において、前記表示制御部は、前記バッテリの充電率が所定値以上である場合には、満足げな前記擬人化キャラクタの画像を前記表示部に表示させ、前記バッテリの充電率が前記所定値未満である場合には、不満げな前記擬人化キャラクタの画像を前記表示部に表示させるものである。
【００１０】
（５）：上記（１）から（４）のいずれかの態様において、前記表示制御部は、前記バッテリの使用頻度を、表現する擬人化キャラクタの感情を用いて表現するものであって、前記使用頻度が好適である場合、幸福そうな様子の前記擬人化キャラクタの画像を前記表示部に表示させ、前記使用頻度が過多である場合、疲労した様子の前記擬人化キャラクタの画像を前記表示部に表示させ、前記使用頻度が過少である場合、寂しげな様子の前記擬人化キャラクタの画像を前記表示部に表示させるものである。
【００１１】
（６）：上記（１）から（５）の態様において、前記表示制御部は、前記バッテリの劣化状態の進み具合を、表現する擬人化キャラクタの感情を用いて表現するものであって、前記バッテリの劣化が促進されていると判定する場合、怒りの感情を表している前記擬人化キャラクタの画像を前記表示部に表示させ、前記バッテリの劣化が抑制されていると判定する場合、喜びの感情を表している前記擬人化キャラクタの画像を前記表示部に表示させるものである。
【００１２】
（７）：この発明の一態様に係る表示方法は、コンピュータが、車両の走行用の電力を蓄えるバッテリの利用状況に関する情報を取得し、取得結果に基づいて、前記バッテリの状態を擬人化キャラクタで表した画像を表示する表示部に表示する、表示方法である。
【００１３】
（８）：この発明の一態様に係るプログラムは、コンピュータに、車両の走行用の電力を蓄えるバッテリの利用状況に関する情報を取得させ、取得結果に基づいて、前記バッテリの状態を擬人化キャラクタで表した画像を表示する表示部に表示させる、プログラムである。
【発明の効果】
【００１４】
（１）〜（８）によれば、バッテリ劣化状態をユーザが容易に且つ直感的に理解できる態様で表示することができる。
【００１５】
（３）および（４）によれば、バッテリの充電率をユーザが容易に且つ直感的に理解できる態様で表示することができる。
【００１６】
（５）によれば、バッテリの使用頻度に関する情報をユーザが容易に且つ直感的に理解できる態様で表示することができる。
【図面の簡単な説明】
【００１７】
【図１】実施形態に係る表示装置６０を含む車両１０の構成の一例を示す図である。
【図２】表示部６１を説明するための図である。
【図３】表示設定６４に格納される情報の一例を示す図である。
【図４】バッテリ情報６５に格納される情報の一例を示す図である。
【図５】充放電履歴６６に格納される情報の一例を示す図である。
【図６】制御部６２の構成の一例を示す図である。
【図７】表示画像決定部６２Ｂによるバッテリ４０の劣化度合を示す画像の決定規則例を示す図である。
【図８】「擬人化表示２」の画像セットの例を示す図である。
【図９】表示画像決定部６２Ｂによるバッテリ４０の充電率を示す画像の決定規則例を示す図である。
【図１０】表示画像決定部６２Ｂによるバッテリ４０の充電率を示す画像の決定例を示す図である。
【図１１】表示画像決定部６２Ｂによるバッテリ４０の充電率を示す画像の決定例を示す図である。
【図１２】表示画像決定部６２Ｂによるバッテリ４０の使用頻度を示す画像の決定規則例を示す図である。
【図１３】表示画像決定部６２Ｂによるバッテリ４０の使用頻度を示す画像の決定例を示す図である。
【図１４】表示画像決定部６２Ｂによるバッテリ４０の劣化状態の進み具合を示す画像の決定規則例を示す図である。
【図１５】表示画像決定部６２Ｂによるバッテリ４０の劣化評価の結果を示す画像の決定例を示す図である。
【図１６】バッテリ４０の使用状態に応じたキャラクタ画像の表示例を説明するための図である。
【図１７】バッテリ４０の使用状態に応じたキャラクタ画像の表示例を説明するための図である。
【図１８】表示装置６０による画像表示処理の流れの一例を示すフローチャートである。
【図１９】変形例に係るバッテリ評価装置３００の構成の一例を示す図である。
【図２０】バッテリ４０の劣化度合の表示設定の他の一例を示す図である。
【図２１】バッテリ４０の劣化度合の表示設定の他の一例を示す図である。
【発明を実施するための形態】
【００１８】
以下、図面を参照し、本発明の表示装置、表示方法、およびプログラムの実施形態について説明する。
【００１９】
［全体構成］
図１は、実施形態に係る表示装置６０を含む車両１０の構成の一例を示す図である。図１に示すように、車両１０は、例えば、モータ１２と、駆動輪１４と、ブレーキ装置１６と、車両センサ２０と、ＰＣＵ（Power Control Unit）３０と、バッテリ４０と、電圧センサ、電流センサ、温度センサなどのバッテリセンサ４２と、通信装置５０と、表示装置６０と、充電口７０と、コンバータ７２と、を備える。
【００２０】
モータ１２は、例えば、三相交流電動機である。モータ１２のロータは、駆動輪１４に連結される。モータ１２は、供給される電力を用いて動力を駆動輪１４に出力する。また、モータ１２は、車両の減速時に車両の運動エネルギーを用いて発電する。
【００２１】
ブレーキ装置１６は、例えば、ブレーキキャリパーと、ブレーキキャリパーに油圧を伝達するシリンダと、シリンダに油圧を発生させる電動モータと、を備える。ブレーキ装置１６は、ブレーキペダルの操作によって発生した油圧を、マスターシリンダを介してシリンダに伝達する機構をバックアップとして備えてよい。なお、ブレーキ装置１６は、上記説明した構成に限らず、マスターシリンダの油圧をシリンダに伝達する電子制御式油圧ブレーキ装置であってもよい。
【００２２】
車両センサ２０は、アクセル開度センサと、車速センサと、ブレーキ踏量センサと、を備える。アクセル開度センサは、アクセルペダルに取り付けられ、アクセルペダルの操作量を検出し、アクセル開度として制御部３６に出力する。車速センサは、例えば、各車輪に取り付けられた車輪速センサと速度計算機とを備え、車輪速センサにより検出された車輪速を統合して車両の速度（車速）を導出し、制御部３６に出力する。ブレーキ踏量センサは、ブレーキペダルに取り付けられ、ブレーキペダルの操作量を検出し、ブレーキ踏量として制御部３６に出力する。
【００２３】
ＰＣＵ３０は、例えば、変換器３２と、ＶＣＵ（Voltage Control Unit）３４と、制御部３６と、を備える。なお、これらの構成要素をＰＣＵ３４として一まとまりの構成としたのは、あくまで一例であり、これらの構成要素は分散的に配置されても構わない。
【００２４】
変換器３２は、例えば、ＡＣ−ＤＣ変換器である。変換器３２の直流側端子は、直流リンクＤＬに接続されている。直流リンクＤＬには、ＶＣＵ３４を介してバッテリ４０が接続されている。変換器３２は、モータ１２により発電された交流を直流に変換して直流リンクＤＬに出力する。
【００２５】
ＶＣＵ３４は、例えば、ＤＣ―ＤＣコンバータである。ＶＣＵ３４は、バッテリ４０から供給される電力を昇圧して直流リンクＤＬに出力する。
【００２６】
制御部３６は、例えば、モータ制御部と、ブレーキ制御部と、バッテリ・ＶＣＵ制御部と、を備える。モータ制御部、ブレーキ制御部、及びバッテリ・ＶＣＵ制御部は、それぞれ別体の制御装置、例えば、モータＥＣＵ、ブレーキＥＣＵ、バッテリＥＣＵといった制御装置に置き換えられてもよい。
【００２７】
制御部３６は、モータ制御部において、車両センサ２０の出力に基づいて、モータ１２を制御する。制御部３６は、ブレーキ制御部において、車両センサ２０の出力に基づいて、ブレーキ装置１６を制御する。制御部３６は、バッテリ・ＶＣＵ制御部において、バッテリ４０に取り付けられたバッテリセンサ４２の出力に基づいて、バッテリ４０のＳＯＣ（State Of Charge；以下「バッテリ充電率」ともいう）を算出し、ＶＣＵ３４及び表示装置６０に出力する。制御部３６は、車両センサ２０により車速が出力された車速の情報を表示装置６０に出力する。ＶＣＵ３４は、バッテリ・ＶＣＵ制御からの指示に応じて、直流リンクＤＬの電圧を上昇させる。
【００２８】
バッテリ４０は、例えば、リチウムイオン電池などの二次電池である。バッテリ４０には、車両１０の外部の充電器２００から導入される電力を蓄え、車両１０の走行のための放電を行う。バッテリセンサ４２は、例えば、電流センサ、電圧センサ、温度センサを備える。バッテリセンサ４２は、例えば、バッテリ４０の電流値、電圧値、温度を検出する。バッテリセンサ４２は、検出した電流値、電圧値、温度等を制御部３６に出力する。
【００２９】
制御部３６は、バッテリ４０の劣化度合いを推定し、さらにバッテリ４０の劣化状態の学習を行う。例えば、制御部３６は、現在のバッテリ４０の満充電容量（以下「現在最大容量」という。）を算出する。学習部１２５は、現在最大容量と、初期最大容量とに基づいて、現在最大容量の初期最大容量に対する最大容量比（劣化状態）を算出する。初期最大容量とは、出荷時のバッテリ４０の満充電容量である。
【００３０】
また制御部３６は、満充電容量や、ΔＳＯＣ、充放電電力、最大容量比などの算出結果に対し、クラスタリング処理などの統計処理を行う。これにより、制御部３６は、バッテリ４０の劣化状態を学習することができる。なお制御部３６は、第１時点と第１時点とは異なる所定時間経過後の第２時点との間のバッテリ４０の充電電流の積算値（ΔＩ［Ａｈ］）を、バッテリ４０の第１充電率とバッテリ４０の第２充電率との差分（ΔＳＯＣ［％］）で除算した値に基づき、バッテリ４０の劣化度合を導出してもよい。
【００３１】
制御部３６は、算出結果を、表示装置６０に出力する。更に、制御部３６は、バッテリ４０の使用頻度を算出し、表示装置に出力してもよい。使用頻度とは、例えば、車両１０の稼働度合（乗車頻度）のことであってもよいし、バッテリ４０の充電の頻度または放電の頻度を示すものであってもよい。
【００３２】
通信装置５０は、セルラー網やＷｉ−Ｆｉ網を接続するための無線モジュールを含む。
【００３３】
表示装置６０は、例えば、表示部６１と、制御部６２と、記憶部６３とを備える。表示部６１および制御部６２は、例えば、ＣＰＵ（Central Processing Unit）などのハードウェアプロセッサがプログラム（ソフトウェア）を実行することにより実現される。これらの構成要素のうち一部または全部は、ＬＳＩ（Large Scale Integration）やＡＳＩＣ（Application Specific Integrated Circuit）、ＦＰＧＡ（Field-Programmable Gate Array）、ＧＰＵ（Graphics Processing Unit）などのハードウェア（回路部；circuitryを含む）によって実現されてもよいし、ソフトウェアとハードウェアの協働によって実現されてもよい。プログラムは、予めＨＤＤ（Hard Disk Drive）やフラッシュメモリなどの記憶装置（非一過性記憶媒体）に格納されていてもよいし、ＤＶＤやＣＤ−ＲＯＭなどの着脱可能な記憶媒体（非一過性記憶媒体）に格納されており、記憶媒体がドライブ装置に装着されることでインストールされてもよい。
【００３４】
表示部６１は、制御部６２の制御に応じた情報を表示する。制御部６２は、バッテリ４０の消費電力に基づく情報を表示部６１に表示させる。バッテリ４０の消費電力に基づく情報とは、車両１０の航続可能距離以外の情報、例えばバッテリ４０の劣化状態などの情報であってもよい。
【００３５】
制御部６２は、例えば、バッテリセンサ４２のセンシング結果が正常であるか否かを判定し、判定結果に応じて表示部６１に表示させる内容を変更する。
【００３６】
記憶部６３は、例えば、ＨＤＤ、フラッシュメモリ、ＥＥＰＲＯＭ、またはＲＡＭ（Random Access Memory）等により実現される。記憶部６３には、例えば、表示設定６４、バッテリ情報６５、充放電履歴６６などの情報が格納される。
【００３７】
充電口７０は、車両１０の車体外部に向けて設けられている。充電口７０は、充電ケーブル２２０を介して充電器２００に接続される。充電ケーブル２２０は、第１プラグ２２２と第２プラグ２２４を備える。第１プラグ２２２は、充電器２００に接続され、第２プラグ２２４は、充電口７０に接続される。充電器２００から供給される電気は、充電ケーブル２２０を介して充電口７０に供給される。
【００３８】
また、充電ケーブル２２０は、電力ケーブルに付設された信号ケーブルを含む。信号ケーブルは、車両１０と充電器２００の間の通信を仲介する。したがって、第１プラグ２２２と第２プラグ２２４のそれぞれには、電力ケーブルを接続する電力コネクタと信号ケーブルを接続する信号コネクタが設けられている。
【００３９】
コンバータ７２は、充電口７０とバッテリ４０の間に設けられる。コンバータ７２は、充電口７０を介して充電器２００から導入される電流、例えば交流電流を、バッテリ40に供給するための電流、例えば直流電流に変換する。コンバータ７２は、変換した直流電流をバッテリ４０に対して出力する。
【００４０】
［擬人化キャラクタ］
表示部６１に表示される擬人化キャラクタの画像（以下、キャラクタ画像）とは、例えば、人を模した画像であって、少なくとも観者（ユーザ）によって表情や顔向きが認識される程度の顔画像を含んでよい。例えば、キャラクタ画像は、顔領域の中に目や鼻に擬したパーツが表されており、顔領域の中のパーツの位置に基づいて表情や顔向きが認識されるものであってよい。また、キャラクタ画像は、観者によって、立体的に感じられ、三次元空間における頭部画像を含むことでキャラクタの顔向きが認識される画像であってもよい。キャラクタ画像は、キャラクタの動作や振る舞い、姿勢等が認識され本体（胴体や手足）の画像を含むものであってもよい。また、キャラクタ画像は、アニメーション画像であってもよい。
【００４１】
キャラクタ画像は、少なくとも２以上の画像を含む画像セットに含まれる構成要素の一つである。制御部６２は、バッテリ４０の利用状況（例えば、劣化度合、充電率、使用頻度など）に応じて表示部６１に表示する画像を、画像セットに含まれる画像から選択して表示させる。制御部６２による処理の詳細は後述する。
【００４２】
キャラクタ画像は、車両１０の車種毎に固定のキャラクタ画像が設定されるものであってもよいし、バッテリ４０毎に固定のキャラクタ画像が設定されるものであってもよいし、ユーザが自ら選択したキャラクタの画像の画像セットが通信装置５０を介して取得され、選択されるものであってもよい。
【００４３】
［表示部］
図２は、表示部６１を説明するための図である。表示部６１は、例えば、第１表示部６１Ａと、第２表示部６１Ｂとを備える。第１表示部６１Ａは、ステアリングホイールＳＷが設けられた運転席に着座するユーザが視認可能なメータボックスに含まれる表示部である。第２表示部６１Ｂは、運転席に着座するユーザだけでなく、運転席以外の座席に着座するユーザにも視認可能な表示部である。なお、第２表示部６１Ｂは、他の車載装置（例えば、ナビゲーション装置）のＨＭＩ（Human machine Interface）の備える表示部であってもよい。第１表示部６１Ａおよび第２表示部６１Ｂには同一の画像が表示されてもよいし、いずれか一方にのみ画像が表示されてもよい。
【００４４】
［表示設定］
図３は、表示設定６４に格納される情報の一例を示す図である。表示設定６４は、例えば、擬人化キャラクタの表示を行う場合と、擬人化キャラクタの表示を行わない場合との設定に関する情報である。制御部６２は、例えば、バッテリセンサ４２のセンシング結果が正常であると判定する場合、表示部６１に正常時に対応付いた画像表示を行わせる。制御部６２は、バッテリセンサ４２のセンシング結果が警告状態であると判定する場合、表示部６１に警告時に対応付いた画像表示（例えば、バッテリを模した画像を黄色で表示））を行わせる。制御部６２は、バッテリセンサ４２のセンシング結果が異常状態であると判定する場合、表示部６１に異常時に対応付いた画像表示（例えば、バッテリを模した画像を赤色で表示）を行わせる。制御部６２は、警告状態および異常状態に該当する場合には、標準規格（国際規格など）に則った態様の表示を行う。
【００４５】
［バッテリ情報］
図４は、バッテリ情報６５に格納される情報の一例を示す図である。バッテリ情報６５は、例えば、バッテリ４０の製品名（型番）、シリアルナンバ、擬人化キャラクタの表示に対応しているか否か、擬人化キャラクタの表示に対応している場合に標準表示されるキャラクタ画像、表示可能な擬人化キャラクタの画像、画像セットの構成情報などの情報が格納される。
【００４６】
制御部６２は、バッテリ情報６５を参照することで、バッテリ４０が所定の条件を満たすバッテリ（例えば、純正バッテリ、車両メーカ推奨バッテリ）であるか否かを判定し、その判定結果に応じた擬人化キャラクタの画像表示を行ってもよい。
【００４７】
［充放電履歴］
図５は、充放電履歴６６に格納される情報の一例を示す図である。充放電履歴６６には、バッテリセンサ４２による計測時刻、バッテリ４０の充電率、充放電電流などの情報が格納される。
【００４８】
制御部６２は、充放電履歴６６を参照することで、バッテリ４０の利用状況に関する情報に基づいた擬人化キャラクタの画像表示を行う。
【００４９】
［表示制御部］
図６は、制御部６２の構成の一例を示す図である。制御部６２は、例えば、取得部６２Ａと、表示画像決定部６２Ｂと、出力部６２Ｃとを備える。
【００５０】
取得部６２Ａは、制御部３６による出力結果、バッテリセンサ４２によるセンシング結果、および記憶部６３に格納された情報を取得して、表示画像決定部６２Ｂに出力する。
【００５１】
また、取得部６２Ａは、バッテリセンサ４２によるセンシング結果に基づいて、バッテリ４０の劣化度合や、使用頻度などを自ら評価し、その評価結果を記憶部６３に格納してもよい。
【００５２】
表示画像決定部６２Ｂは、取得部６２Ａにより出力された情報に基づいて、バッテリ４０の利用状況に応じた画像を決定し、表示部６１に表示させる画像を決定する。表示画像決定部６２Ｂは、例えば、表示部６１にバッテリセンサ４２のセンシング結果に基づいた擬人化キャラクタの画像表示を行うか否かを決定し、擬人化キャラクタの画像表示を行うと決定した場合、記憶部６３の記憶する画像のうち、どの画像を表示するかを決定し、出力部６２Ｃに出力する。
【００５３】
出力部６２Ｃは、表示画像決定部６２Ｂにより出力された決定結果に基づいて、表示部６１に画像表示させる。表示画像決定部６２Ｂおよび出力部６２Ｃを併せ持つものは、「表示制御部」の一例である。
【００５４】
［劣化度合の表示例］
制御部６２は、例えば、バッテリ４０の劣化度合を擬人化キャラクタの年代を用いて表現した画像を表示部６１に表示させる。図７は、表示画像決定部６２Ｂによるバッテリ４０の劣化度合を示す画像の決定規則例を示す図である。
【００５５】
表示画像決定部６２Ｂは、例えば、若年のキャラクタ画像と、老齢のキャラクタ画像の２つの画像からなる画像セット（以下、「擬人化表示１」の画像セットと称する場合がある）を表示部６１に表示する場合、バッテリ４０の劣化度合が低い場合に「擬人化表示１」の画像セットのうち若年のキャラクタの画像を表示すると決定する。また、表示画像決定部６２Ｂは、バッテリ４０の劣化度合が高い場合に、「擬人化表示１」の画像セットのうち老齢のキャラクタの画像を表示すると決定する。
【００５６】
また、表示画像決定部６２Ｂは、幼児、児童、少年、青年、壮年、中年、老年のように多段階の年代を表現することができる画像セット（以下、「擬人化表示２」の画像セットと称する場合がある）のうち好適な画像を表示部６１に表示してもよい。
【００５７】
このように、バッテリ４０のバッテリ劣化度合に応じてキャラクタ画像の表示が変化することで、ユーザは、あらかじめバッテリが劣化度合がどの程度の状態であるかを知ることができる。また、ユーザは、表示部６１に表示される擬人化キャラクタの年代が高まることを認識した場合に、バッテリ４０が警告状態や異常状態であることを示す画像が表示される可能性が高まっていることを予測することができる。
【００５８】
図８は、「擬人化表示２」の画像セットの例を示す図である。制御部６２は、例えば、バッテリ４０が新品であれば、幼児を模したキャラクタ画像ＩＭ１の画像表示を行い、バッテリ４０の劣化が進行するとキャラクタ画像ＩＭ２、次にキャラクタ画像ＩＭ３、その次にキャラクタ画像ＩＭ４、その次にキャラクタ画像ＩＭ５、その次にキャラクタ画像ＩＭ６と徐々に年代の高いキャラクタ画像ＩＭ２を表示する。制御部６２は、バッテリ４０の劣化が進行しており、バッテリセンサ４２のセンシング結果である電圧計測値が警告域に近い（劣化末期である）場合、バッテリ４０のメンテナンスの検討をユーザに促す時期である場合、または交換時期が近いことをユーザに促す場合などに老年を模したキャラクタ画像ＩＭ７の画像表示を行う。
【００５９】
［充電率の表示例］
また、制御部６２は、例えば、バッテリ４０の充電率をキャラクタ画像の感情で表現した画像を表示部６１に表示させる。図９は、表示画像決定部６２Ｂによるバッテリ４０の充電率を示す画像の決定規則例を示す図である。
【００６０】
制御部６２は、例えば、バッテリ４０の充電率が所定値以上である場合には、満足げな様子のキャラクタ画像を表示部６１に表示させる。また、制御部６２は、バッテリ４０の充電率が所定値未満である場合には、不満げな様子のキャラクタ画像を表示部６１に表示させる。
【００６１】
図１０および図１１は、表示画像決定部６２Ｂによるバッテリ４０の充電率を示す画像の決定例を示す図である。
【００６２】
満足げな様子のキャラクタ画像とは、例えば、機嫌がよさそうな表情、元気そうな様子、笑顔、瞳が輝いた表情などのポジティブな気持ちを表現した画像である。また、満腹であることが連想されるキャラクタ画像も満足げな様子のキャラクタ画像に含まれてもよい。
【００６３】
また、不満げな様子のキャラクタ画像とは、例えば、不幸そうな表情、機嫌が悪そうな表情、体調が万全でない様子、泣き顔などのネガティブな気持ちを表現した画像である。また、空腹であることが連想されるキャラクタ画像も不満げな様子のキャラクタ画像に含まれてもよい。
【００６４】
例えば、図１０に示すように、表示画像決定部６２Ｂは、バッテリ４０の充電率が所定値以上である場合に満足げな様子のキャラクタ画像ＩＭ８を表示させ、バッテリ４０の充電率が所定値未満である場合には不満げな様子のキャラクタ画像ＩＭ９を表示させると決定する。
【００６５】
また、例えば、図１１に示すように、表示画像決定部６２Ｂは、バッテリ４０の充電率が所定値以上である場合に満腹であることが連想されるキャラクタ画像ＩＭ１０を表示させ、バッテリ４０の充電率が所定値未満である場合には空腹であることが連想されるキャラクタ画像ＩＭ１１を表示させると決定する。
【００６６】
なお、制御部６２は、キャラクタ画像を用いて、バッテリ４０の劣化度合と充電率とを同時に表示してもよい。その場合、制御部６２は、劣化度合を表現する年代を表したキャラクタ画像を用いて、さらに充電率を表現する。例えば、バッテリ４０が新品であり、充電率が低い場合は、表示画像決定部６２Ｂは、不満げな幼児の画像キャラクタを表示部６１に表示すると決定する。
【００６７】
［使用頻度の表示例］
また、制御部６２は、例えば、バッテリ４０の使用頻度をキャラクタ画像で表現して表示部６１に表示させる。図１２は、表示画像決定部６２Ｂによるバッテリ４０の使用頻度を示す画像の決定規則例を示す図である。
【００６８】
表示画像決定部６２Ｂは、例えば、使用頻度が好適である場合、幸福そうな様子のキャラクタ画像を表示部６１に表示させる。また、表示画像決定部６２Ｂは、使用頻度が過多である場合、疲労した様子のキャラクタ画像を表示部６１に表示させる。また、表示画像決定部６２Ｂは、使用頻度が過少である場合、寂しげな様子のキャラクタ画像を表示部６１に表示させる。
【００６９】
図１３は、表示画像決定部６２Ｂによるバッテリ４０の使用頻度を示す画像の決定例を示す図である。
【００７０】
表示画像決定部６２Ｂは、例えば、図１３に示すように、使用頻度が好適である場合、幸福そうな様子のキャラクタ画像ＩＭ１３を表示部６１に表示させる。また、表示画像決定部６２Ｂは、使用頻度が過多である場合、疲労した様子のキャラクタ画像ＩＭ１４を表示部６１に表示させる。また、表示画像決定部６２Ｂは、使用頻度が過少である場合、寂しげな様子のキャラクタ画像ＩＭ１２を表示部６１に表示させる。
【００７１】
なお、幸福そうな様子のキャラクタ画像ＩＭ１３は、平常時（例えば、充電率が所定値以上である場合など）に表示される標準的なキャラクタ画像と同一の画像であってもよい。
【００７２】
〔劣化評価の表示例〕
また、制御部６２は、例えば、バッテリ４０の劣化評価の結果をキャラクタ画像で表現して表示部６１に表示させる。
【００７３】
劣化評価とは、例えば、所定の期間（例えば、ユーザが乗車して降車するまで、１［日］、１［週間］など）におけるバッテリ４０の利用状況に対する評価である。例えば、バッテリ４０の劣化が促進される（バッテリ４０の寿命を削る）ような使い方がされている場合には、劣化評価が「高」、バッテリ４０の劣化が抑制されている（バッテリ４０が長持ちする）ような使い方がされている場合には劣化評価が「低」と評価される。劣化評価は、バッテリセンサ４２によるセンシング結果がそのまま用いられてもよいし、取得部６２Ａにより評価の導出処理が行われるものであってもよい。
【００７４】
図１４は、表示画像決定部６２Ｂによるバッテリ４０の劣化状態の進み具合を示す画像の決定規則例を示す図である。表示画像決定部６２Ｂは、例えば、バッテリ４０の劣化が促進されていると判定する場合、怒りの感情を表しているキャラクタ画像を表示部６１に表示させ、バッテリ４０の劣化が抑制されていると判定する場合、喜びの感情を表しているキャラクタ画像を表示部６１に表示させる。
【００７５】
図１５は、表示画像決定部６２Ｂによるバッテリ４０の劣化評価の結果を示す画像の決定例を示す図である。
【００７６】
表示画像決定部６２Ｂは、例えば、図１５に示すように、劣化評価の結果が「高」である場合、怒りの感情を表しているキャラクタ画像ＩＭ１５を表示部６１に表示させる。また、表示画像決定部６２Ｂは、劣化評価の結果が「低」である場合、喜びの感情を表しているキャラクタ画像ＩＭ１６を表示部６１に表示させる。
【００７７】
なお、喜びの感情を表しているキャラクタ画像ＩＭ１６は、平常時（例えば、充電率が所定値以上である場合など）に表示される標準的なキャラクタ画像と同一の画像であってもよい。
【００７８】
なお、劣化評価の結果を示すキャラクタ画像は、ユーザ乗車中に常に表示されるものであってもよいし、特定のタイミングに所定時間表示されるものであってもよい。その場合、制御部６２は、例えば、車両１０の一次停車中に表示部６１に劣化評価の結果を示すキャラクタ画像を表示したり、車両１０の発進タイミング、車両１０の駐停車タイミングなどに、表示部６１に劣化評価の結果を示すキャラクタ画像を１［ｍｉｎ］程度表示したりするようにしてもよい。
【００７９】
また、劣化評価の結果を示すキャラクタ画像は、バッテリ４０の利用状況のうち他の要素を示すキャラクタ画像と同一のキャラクタで表現されてもよいし、異なるキャラクタ（例えば、劣化評価の結果を示すキャラクタ画像は男性キャラクタ、他の要素を示すキャラクタ画像は女性キャラクタにするなど）で表現されてもよい。
【００８０】
［利用状況に応じたキャラクタ画像］
図１６および図１７は、バッテリ４０の使用状態に応じたキャラクタ画像の表示例を説明するための図である。
【００８１】
表示画像決定部６２Ｂは、例えば、図１６に示すようにバッテリ４０が新品であり、且つ充電率が低く、所定値Ｔｈ未満である状態（以下、状態Ｓ１）と、バッテリがやや新しい状態であり、且つ充電率がやや高い状態（以下、状態Ｓ２）とでは、状態Ｓ１においてより重要度の高い情報である「充電率が低いこと」を表現するために異なるキャラクタ画像を表示すると決定する。
【００８２】
この場合、表示画像決定部６２Ｂは、例えば、状態Ｓ１を示す画像として、若年で、空腹な様子のキャラクタ画像を表示する。なお、状態Ｓ１と状態Ｓ２において表示されるキャラクタ画像の年代は同一であってもよいし、状態Ｓ２の方が年代が上であるように表示されてもよい。
【００８３】
また、表示画像決定部６２Ｂは、例えば、バッテリ４０が中程度の使用段階（使用歴が製品寿命の半分程度に該当する状態）であり、且つ充電率が高く、所定値Ｔｈ未満である状態（以下、状態Ｓ３）と、バッテリ４０の充電率がやや低く、且つ、バッテリ４０が劣化が進んだ状態（製品寿命の後半に該当する状態）であって、ユーザにメンテナンスまたはバッテリ４０の取り換えの検討を開始させたい時期である状態（以下、状態Ｓ４）とでは、状態Ｓ４においてより重要度の高い情報が「劣化度合が進行していること」である場合、表現するために異なるキャラクタ画像を表示すると決定する。
【００８４】
この場合、表示画像決定部６２Ｂは、例えば、状態Ｓ４を示す画像として、老年のキャラクタ画像を表示する。なお、状態Ｓ３と状態Ｓ４において表示されるキャラクタ画像の充電率はいずれも所定値Ｔｈ以上であることから、満足げな様子のキャラクタ画像を表示部６１に表示させてもよいし、状態Ｓ３の方が充電率がより高いことを表現するためにより、状態Ｓ４を示すキャラクタ画像と比較してより満足げな様子のキャラクタ画像を表示部６１に表示させてもよい。その場合、例えば、表示画像決定部６２Ｂは、状態Ｓ３を示すキャラクタ画像として、より満足げな様子の青年のキャラクタ画像を表示部６１に表示させると決定し、状態Ｓ４を示すキャラクタ画像として、満足げな老年のキャラクタ画像を表示部６１に表示させると決定する。
【００８５】
また、表示画像決定部６２Ｂは、例えば、図１７に示すように、バッテリ４０の使用頻度が過少であり、且つ、劣化が促進されていると評価される状態（以下、状態Ｓ５）と、バッテリ４０の使用頻度が好適であり、且つ、劣化が抑制されていると評価される状態（以下、状態Ｓ６）と、バッテリ４０の使用頻度が過多であり、且つ、劣化評価が中程度である（劣化促進されていないが、劣化抑制されてもいない）状態（以下、状態Ｓ７）とでは、それぞれ異なるキャラクタ画像を表示部６１に表示させると決定する。
【００８６】
その場合、例えば、状態Ｓ５を示すキャラクタ画像として、寂しげな様子であり、且つ、怒りの感情を表しているキャラクタ画像が表示部６１に表示されてもよいし、寂しげな様子のキャラクタ画像と怒りの感情を表しているキャラクタ画像とが所定時間（１０秒程度）の間隔で交互に表示部６１に表示されてもよい。
【００８７】
また、例えば、状態Ｓ７を示すキャラクタ画像として、疲労した様子であるキャラクタ画像が表示部６１に表示されてもよい。状態Ｓ７は、劣化評価の結果が中程度であることを示す専用のキャラクタ画像の表示が行われてもよいし、劣化評価の結果を示すキャラクタ画像の表示が省略されてもよい。
【００８８】
また、例えば、状態Ｓ６を示すキャラクタ画像として、喜びの感情を表している様子であり、且つ、幸福そうな様子のキャラクタ画像ＩＭ１３を表示部６１に表示されてもよいし、喜びの感情を表しているキャラクタ画像と、幸福そうな様子のキャラクタ画像とが所定時間の感覚で交互に表示部６１に表示されてもよい。
【００８９】
なお、表示画像決定部６２Ｂは、状態Ｓ６がバッテリ４０の利用状況として好ましいことをユーザに示すために、通常とは異なる表示頻度が低いキャラクタ画像（希少なキャラクタ、レアキャラ）を表示部６１に表示してもよい。
【００９０】
［処理フロー］
以下、表示装置６０による表示処理の流れについて説明する。図１８は、表示装置６０による画像表示処理の流れの一例を示すフローチャートである。
【００９１】
まず、取得部６２Ａは、記憶部６３の表示設定６４に格納された情報を取得し（ステップＳ１００）、さらに記憶部６３のバッテリ情報６５を取得する（ステップＳ１０２）。次に、取得部６２Ａは、バッテリセンサ４２のセンシング結果を取得することで、バッテリ４０の状態を取得する（ステップＳ１０４）。なお、ステップＳ１００〜Ｓ１０４により取得された各種情報に基づいて、取得部６２Ａは、バッテリの劣化評価を行ってもよい。
【００９２】
次に、表示画像決定部６２Ｂは、取得部６２Ａにより取得された情報のうちバッテリ４０の劣化度合に関する情報に基づいて、擬人化キャラクタの画像の年代を決定する（ステップＳ１０６）。次に、表示画像決定部６２Ｂは、取得部６２Ａにより取得された情報のうちバッテリ４０の充電率、使用頻度、および劣化状態の進み具合に関する情報に基づいて、どのような感情に対応する擬人化キャラクタの画像を表示部６１に表示させるかを決定する（ステップＳ１０８）。次に、出力部６２Ｃは、表示画像決定部６２Ｂにより決定された擬人化キャラクタの画像を表示部６１に表示する（ステップＳ１１０）。以上、本フローチャートの処理の説明を終了する。
【００９３】
以上説明したとおり、実施形態の表示装置６０によれば、車両の走行用の電力を蓄えるバッテリ４０の利用状況に関する情報を取得する取得部６２Ａと、擬人化キャラクタの画像を表示する表示部６１と、表示画像決定部６２Ｂが取得部６２Ａの取得結果を擬人化キャラクタで表した画像を決定して、出力部６２Ｃにより表示部６１に出力されることにより、バッテリ４０のバッテリ劣化状態をユーザが容易に且つ直感的に理解できる態様で表示することができる。
【００９４】
また、実施形態の表示装置６０によれば、表示画像決定部６２Ｂが取得部６２Ａの取得結果であるバッテリ４０の充電率を、擬人化キャラクタの感情を用いて表現した画像を表示部６１に表示させると決定することにより、バッテリ４０の充電率をユーザが容易に且つ直感的に理解できる態様で表示することができる。
【００９５】
また、実施形態の表示装置６０によれば、表示画像決定部６２Ｂが取得部６２Ａの取得結果であるバッテリ４０の使用頻度を、擬人化キャラクタの感情を用いて表現した画像を表示部６１に表示させると決定することにより、バッテリ４０の使用頻度に関する情報をユーザが容易に且つ直感的に理解できる態様で表示することができる。
【００９６】
［表示装置の変形例］
なお、上述の実施例においては、車両１０に搭載されたバッテリ４０の利用状況について、車両１０のユーザに対して擬人化キャラクタを表示部６１に表示する例を示したが、車両１０から取り外されたバッテリ４０の利用状況について、擬人化キャラクタを表示する場面で用いられてもよい。
【００９７】
以下の説明において、上述の実施形態との相違点を中心に説明し、上述の実施形態と共通する点については説明を省略する。なお、変形例の説明において、実施形態と同様の構成については、同一の名称を付して説明を省略する場合がある。
【００９８】
図１９は、変形例に係るバッテリ評価装置３００の構成の一例を示す図である。変形例のバッテリ評価装置３００は、例えば、表示部３１０と、制御部３２０と、バッテリセンサ３３０とを備える。表示部３１０は、上述の実施形態の表示部６１と対応付くものである。制御部３２０は、上述の実施形態の制御部６２と対応付くものである。バッテリセンサ３３０は、上述の実施形態のバッテリセンサ４２と対応付くものである。
【００９９】
バッテリ評価装置３００は、例えば、バッテリパック４００の新規購入時や、中古品であるバッテリパック４００の購入時、バッテリパック４００の取り換え時など、ユーザがバッテリパック４００の利用状況に関する情報を取得するために用いられるものである。
【０１００】
制御部３２０は、例えば、取得部３２２と、表示画像決定部３２４と、出力部３２６とを備える。取得部３２２は、上述の実施形態の取得部６２Ａと対応付くものである。表示画像決定部３２４は、上述の実施形態の表示画像決定部６２Ｂと対応付くものである。出力部３２６は、上述の実施形態の出力部６２Ｃと対応付くものである。
【０１０１】
バッテリパック４００は、例えば、バッテリ４１０と、記憶部４２０とを備える。バッテリ４１０は、上述の実施形態のバッテリ４０と対応付くものである。
【０１０２】
記憶部４２０には、例えば、表示設定４２２と充放電履歴４２４などの情報が格納される。表示設定４２２は、上述の実施形態の表示設定６４と対応付くものである。充放電履歴４２４は、上述の実施形態の充放電履歴６６と対応付くものである。
【０１０３】
バッテリ評価装置３００は、バッテリパック４００の出力端子にケーブル（不図示）等で接続する。バッテリセンサ３３０は、バッテリパック４００のバッテリ４１０や、記憶部４２０と接続し、バッテリ４１０の利用状況をセンシングしたり、記憶部４２０からバッテリ４１０の利用状況を示す情報を取得したりする。
【０１０４】
バッテリ評価装置３００は、バッテリパック４００から取得したセンシング結果および各種情報に基づいて、バッテリ４１０の利用状況を示す擬人化キャラクタの画像を表示部３１０に表示する。これにより、ユーザは、単にバッテリ４１０の電圧、電流などの情報を取得するだけでは理解し辛い可能性のある、バッテリの劣化状態の進み具合などの情報を、直感的に理解しやすい態様である擬人化キャラクタを介して理解することができる。
【０１０５】
［擬人化キャラクタの変形例］
なお、上記の説明において、バッテリ４０の状態を表現する際に擬人化キャラクタが用いられる例を説明してきたが、キャラクタは人物以外（例えば、動物や植物など）のモチーフが採用されてもよい。
【０１０６】
図２０および図２１は、バッテリ４０の劣化度合の表示設定の他の一例を示す図である。表示画像決定部６２Ｂ（または表示画像決定部３２４、以下同じ）は、例えば、擬人化キャラクタではなく、図２０に示す画像ＩＭ１７~画像ＩＭ１９のように、幼生から成体に成長するまでに外見が変化する動物の画像セットを用いてバッテリ４０（またはバッテリ４１０、以下同じ）の利用状況を表示部６１（または表示部３１０、以下同じ）に表示するものであってもよい。
【０１０７】
また、表示画像決定部６２Ｂは、例えば、擬人化キャラクタではなく、図２１に示す画像ＩＭ２０~画像ＩＭ２４のように、発芽などの初期段階から成長および老化の過程で外見が大きく変化する植物の画像セットを用いてバッテリ４０の利用状況を表示部６１に表示するものであってもよい。
【０１０８】
上記説明した実施形態は、以下のように表現することができる。
プログラムを記憶した記憶装置と、
ハードウェアプロセッサと、を備え、
前記ハードウェアプロセッサが前記記憶装置に記憶されたプログラムを実行することにより、
車両の走行用の電力を蓄えるバッテリの利用状況に関する情報を取得し、
取得結果に基づいて、前記バッテリの状態を擬人化キャラクタで表した画像を表示する表示部に表示する、
ように構成されている、表示装置。
【０１０９】
以上、本発明を実施するための形態について実施形態を用いて説明したが、本発明はこうした実施形態に何ら限定されるものではなく、本発明の要旨を逸脱しない範囲内において種々の変形および置換を加えることができる。
【符号の説明】
【０１１０】
１０…車両、１２…モータ、２０…車両センサ、３６…制御部、４０…バッテリ、４２…バッテリセンサ、５０…通信装置、６０…表示装置、６１…表示部、６２…制御部、６２Ａ…取得部、６２Ｂ…表示画像決定部、６２Ｃ…出力部、３００…バッテリ評価装置、３１０…表示部、３２０…制御部、３２２…取得部、３２４…表示画像決定部、３２６…出力部、３３０…バッテリセンサ、４００…バッテリパック、４１０…バッテリ
【図１】
2020191719.tif 000003
【図２】
2020191719.tif 000004
【図３】
2020191719.tif 000005
【図４】
2020191719.tif 000006
【図５】
2020191719.tif 000007
【図６】
2020191719.tif 000008
【図７】
2020191719.tif 000009
【図８】
2020191719.tif 000010
【図９】
2020191719.tif 000011
【図１０】
2020191719.tif 000012
【図１１】
2020191719.tif 000013
【図１２】
2020191719.tif 000014
【図１３】
2020191719.tif 000015
【図１４】
2020191719.tif 000016
【図１５】
2020191719.tif 000017
【図１６】
2020191719.tif 000018
【図１７】
2020191719.tif 000019
【図１８】
2020191719.tif 000020
【図１９】
2020191719.tif 000021
【図２０】
2020191719.tif 000022
【図２１】
2020191719.tif 000023